(57)【要約】  タブロイド判被印刷製品を形成する方法が提供される。少なくとも１つの第１の材料ウェブ（１６，１２）が印刷され、少なくとも１つの第１の材料ウェブ（１６，１２）は、第１のリボン束（１６B）及び第２のリボン束（１２B）を形成するために裁断される。次いで、第１のリボン束（１６B）は所望の長さ（１０２Ａ，１０２Ｂ）に裁断される。第２のリボン束（１２B）は、折り畳まれずに、所定の長さ（１０２Ａ，１０２Ｂ）に裁断される。第１及び第２のリボン束（１６B，１２B）は組み合わされ（１１０，１１２）、その際、第１のリボン束（１６B）は折り畳まれており、第２のリボン束（１２B）は折り畳まれていない。第２のリボン束（１２B）は、区分けされたタブロイド判新聞（１１４）を形成するために、組み合わせるステップの後、第１の折り畳まれた束（１６B）上で長手方向に折り畳まれる。タブロイド判印刷機も提供される。
2011501724.tif 000002
【特許請求の範囲】
【請求項１】
タブロイド判被印刷製品を形成する方法において、
少なくとも１つの第１の材料ウェブに印刷するステップを有し、該少なくとも１つの第１の材料ウェブが、第１のリボン束及び第２のリボン束とを形成するように裁断され、
第１のリボン束を長手方向で折り畳むステップを有し、
第１のリボン束を所定の長さに裁断するステップを有し、
第２のリボン束を、折り畳まれていない状態で所定の長さに裁断するステップを有し、
第１のリボン束と、第２のリボン束とを組み合わせるステップを有し、その際、第１のリボン束が折り畳まれており且つ第２のリボン束が折り畳まれておらず、
区分けされたタブロイド判新聞を形成するために、前記組み合わせるステップの後に、第１の折り畳まれたリボン束の上で第２のリボン束を長手方向で折り畳むステップを有することを特徴とする、タブロイド判被印刷製品を形成する方法。
【請求項２】
第１のリボン束を裁断する前に組み合わせが行われることを特徴とする、請求項１記載の方法。
【請求項３】
第１のリボンを裁断する前に組み合わせが行われることを特徴とする、請求項１記載の方法。
【請求項４】
第１のリボン束と、第２のリボン束とが、インデックスを有する製品を形成するために、互いに異なる幅を有することを特徴とする、請求項１記載の方法。
【請求項５】
第２のリボン束が、タブロイド判新聞のための外側のセクションを形成しており、第１のリボン束が、タブロイド判新聞の別個の内側のセクションを形成するように収集されることを特徴とする、請求項１記載の方法。
【請求項６】
印刷が、版胴が１回転するごとにウェブに２つの連続する異なる印像を印刷することを含み、裁断するステップの後に、折丁を交互に互いに上下に積層するために折丁を交互に逸らせることを含むことを特徴とする、請求項１記載の方法。
【請求項７】
第１のリボン束と、第２のリボン束とが、異なる印刷ユニットを用いて印刷されることを特徴とする、請求項１記載の方法。
【請求項８】
少なくとも１つのウェブが第３のリボン束を形成し、該第３のリボン束が、長手方向で折り畳まれ、折畳みの後に第１のリボン束と組み合わされることを特徴とする、請求項１記載の方法。
【請求項９】
タブロイド判印刷機において、
第１のリボン束と、第２のリボン束と、第３のリボン束とを形成するために少なくとも１つのウェブに印刷する少なくとも１つの印刷ユニットが設けられており、
第１のフォーマと、第２のフォーマとが設けられており、
第１のリボン束と、第２のリボン束とが、それぞれ、第１のフォーマと第２のフォーマとによって長手方向で折り畳まれるようになっており、
バイパス案内ローラが設けられており、第３のリボン束が、折り畳まれた第１のリボン束及び第２のリボン束と、折り畳まれていない状態で組み合わされるためにバイパス案内ローラ上を通過させられるようになっており、
組み合わされたリボン束を折丁に裁断するカッタが設けられており、
カッタの下流に、第３のリボン束を長手方向で折り畳む縦折り機が設けられていることを特徴とする、タブロイド判印刷機。
【請求項１０】
タブロイド判印刷機において、
第１のリボン束と、第２のリボン束とを形成するために少なくとも１つのウェブに印刷する少なくとも１つの印刷ユニットが設けられており、
第１のフォーマが設けられており、
第１のリボン束が第１のフォーマによって長手方向で折り畳まれるようになっており、
第１のリボン束を第１の折丁に裁断する第１のカッタが設けられており、
第２のリボン束を第２の折丁に裁断する第２のカッタが設けられており、
第２の折丁を折り畳まれていない状態で受け取り、第２の折丁の上側に第１の折丁を折り畳まれた状態で受け取るコンベヤが設けられており、
組み合わされた第１の折丁と第２の折丁とを長手方向で折り畳む折り機が設けられていることを特徴とする、タブロイド判印刷機。
【発明の詳細な説明】
【技術分野】
【０００１】
本発明は、概して印刷機、特にタブロイド判印刷機に関する。
【０００２】
米国特許第６１３９００３号明細書は、いわゆるタブロイド判セクションを用いて多層の新聞を製造するための方法及び装置を開示している。その数が変化する多数の紙ウェブは、長手方向の分離切断が提供された、１つの長手方向フォーマに供給される１つ又は２つ以上のウェブと組み合わされる。
【０００３】
米国特許出願公開第２００７／０２２１０７６号明細書は、直線的な横断するロックアップを有する版胴及び版胴に接触するブランケット胴と；ウェブに印刷するブランケット胴と；ウェブを３つのリボンに裁断する少なくとも１つのスリッタ及び３つのリボンからタブロイド判新聞を形成する折り機を有する折り機上部構造とを有する、３×２タブロイド判印刷機を開示している。
【０００４】
発明の概要
本発明は、タブロイド判印刷製品を形成する方法を提供する。少なくとも１つの第１の材料ウェブが印刷され、少なくとも１つの第１の材料ウェブは、第１のリボン束及び第２のリボン束を形成するように裁断される。次いで、第１のリボン束は長手方向で折り畳まれる。第１のリボン束は所定の長さに裁断される。第２のリボン束は、折り畳まれずに、所定の長さに裁断される。第１及び第２のリボン束は組み合わされ、この場合、第１のリボン束は折り畳まれており、第２のリボン束は折り畳まれていない。第２のリボン束は、区分けされたタブロイド判新聞を形成するために、組合せステップの後に、第１の折り畳まれた束上で長手方向で折り畳まれる。
【０００５】
本発明はタブロイド判印刷機をも提供する。タブロイド判印刷機は、第１のリボン束と、第２のリボン束と、第３のリボン束とを形成するために少なくとも１つのウェブに印刷する少なくとも１つの印刷ユニットと、第１及び第２のフォーマとを有している。第１及び第２のリボン束は、それぞれ、第１及び第２のフォーマによって長手方向で折り畳まれる。タブロイド印刷機は、バイパス案内ローラをも有しており、第３のリボン束はバイパス案内ローラ上を通過し、折り畳まれていない状態で、折り畳まれた第１及び第２のリボン束と組み合わされる。カッタは、組み合わされたリボン束を折丁に裁断し、カッタの下流に設けられた縦折り機は、第３のリボン束を長手方向で折り畳む。
【０００６】
本発明はさらにタブロイド判印刷機をも提供する。タブロイド判印刷機は、第１のリボン束と、第２のリボン束とを形成するために少なくとも１つのウェブに印刷する少なくとも１つの印刷ユニットと、第１のフォーマとを有しており、第１のリボン束は第１のフォーマによって長手方向で折り畳まれ、第１のカッタは第１のリボン束を第１の折丁に裁断する。第２のカッタは第２のリボン束を第２の折丁に裁断し、コンベヤは、折り畳まれていない状態の第２の折丁と、第２の折丁の上側における折り畳まれた状態の第１の折丁とを受け取る。折り機は、組み合わされた第１及び第２の折丁を長手方向で折り畳む。
【０００７】
本発明の好適な実施形態は図面を参照して説明される。
【図面の簡単な説明】
【０００８】
【図１】本発明の好適な実施形態による印刷機を示す図である。
【図２】図１に示された印刷機の版胴の択一的な可能性と、版胴によって印刷される印像とを示す図である。
【図３】図１に示された印刷機の版胴の択一的な可能性と、版胴によって印刷される印像とを示す図である。
【図４】図１に示された印刷機の版胴の択一的な可能性と、版胴によって印刷される印像とを示す図である。
【図５】最終的なインライン折りの前の被印刷製品を示す図である。
【図６】インデックスを有する被印刷製品を示す図である。
【図７】本発明による印刷機の別の好適な実施形態を示す図である。
【図８】本発明の好適な実施形態による、１２０頁の被印刷製品を示す図である。
【図９】図１に示された印刷機のコンベヤに収集された被印刷製品を示す図である。
【図１０】図１に示された印刷機のコンベヤに収集された被印刷製品を示す図である。
【０００９】
好適な実施形態の詳細な説明
図１は、本発明による印刷機１００の好適な実施形態を示している。印刷機１００は、複数の印刷セクション２０，２２，２４を有しており、各印刷セクションは、それぞれウェブ１２，１６，１４に印刷している。印刷機１００は、スリッタ４０，４２，４４、バイパス案内ローラ５０、折りフォーマ６０，６２、カッタ７０、逸らせ装置８０，８２，８４，８６、及びコンベヤ９０を有している。各印刷セクション２０，２２，２４は、４つの印刷ユニット２６，２７，２８，２９を有している。各印刷ユニット２６，２７，２８，２９は、２つの印刷対３０を有している。各印刷対３０は、版胴３２及びブランケット胴３４を含む。版胴３２は、周方向で、例えば、１つ、２つ又は４つの刷版を支持していてよい。図１の実施形態において、版胴３２は、周方向で２つの刷版を支持している。印刷セクション２０，２２，２４は、４色オフセット印刷セクションであり、各印刷ユニット２６，２７，２８，２９は異なる色、例えば、シアン、マゼンタ、イエロー及びブラックを印刷する。
【００１０】
印刷セクション２０は、印刷機１００を通過するウェブ１２に印刷する。印刷後、スリッタ４０はウェブ１２を複数のリボン、例えば、５つのリボン１２R1，１２R2，１２R3，１２R4，１２R5に裁断する。リボン１２R1，１２R2，１２R3，１２R4，１２R5は、次いで、リボン束１２Bを形成するように互いに組み合わされ、バイパス案内ローラ５０上を通過し、下流のカッタ７０へ搬送され、ここでリボン束１２Bは別の印刷されたリボン束と組み合われる。
【００１１】
印刷セクション２２は、印刷機１００を通過するウェブ１６に印刷する。印刷後、スリッタ４２はウェブ１６を複数のリボン、例えば、４つのリボン１６R1，１６R2，１６R3，１６R4に裁断する。リボン１６R1，１６R2，１６R3，１６R4は、次いで、リボン束１６Bを形成するように互いに組み合わされ、このリボン束１６Bは折りフォーマ６２によって縦に折り畳まれる。折り畳まれたリボン束１６Bは次いで、下流のカッタ７０へ搬送される。
【００１２】
印刷セクション２４は、印刷機１００を通過するウェブ１４に印刷する。印刷後、スリッタ４４はウェブ１４を複数のリボン、例えば、５つのリボン１４R1，１４R2，１４R3，１４R4，１４R5に裁断する。リボン１４R1，１４R2，１４R3，１４R4，１４R5は、次いで、リボン束１４Bを形成するように互いに組み合わされ、このリボン束は折りフォーマ６０によって長手方向で折り畳まれる。折り畳まれたリボン束１４Bは、下流のカッタ７０へ搬送され、折り畳まれたリボン束１６B及びリボン束１２Bと組み合わされる。ウェブ１２，１６及び１４によって形成されるリボンの数は、変化してよく、最終的な被印刷製品における所望の頁数に応じて変化してよい。さらに、リボン束１２B，１６B，１４Bは同じ幅又は異なる幅を有していてよい。リボン束１２B，１６B，１４Bの幅を変化させることによって、タブ付き又はインデックス付きの区分けされたタブロイド判が形成される。図５及び図６が参照される。
【００１３】
リボン束１２B，１６B，１４Bは、折丁を形成するようにカッタ７０によって裁断され、折丁１０２Ａ，１０２Ｂを形成する。折丁１０２Ａ，１０２Ｂは、次いで、例えばコンベヤ９４によって逸らせ装置８０，８２，８４，８６に搬送される。
【００１４】
逸らせ装置８０は、１つおきの折丁１０２Ｂを逸らせ、折丁１０２Ａをコンベヤ９０に載置し、被印刷製品１１０を形成する。折丁１０２Ａは、図３Ａ及び図３Ｂに示された刷版３３によって印刷された印像Ａを有している。次いで、逸らせ装置８２は、被印刷製品１１２を形成するために折丁１０２Ｂを被印刷製品１１０の上側に載置する。折丁１０２Ｂは、図３Ａ及び図３Ｂに示された刷版３５によって印刷された印像Ｂを有している。すなわち、被印刷製品１１２は、刷版３３及び刷版３５から得られた印像Ａ及び印像Ｂを有する。被印刷製品１１２は、さらに、インライン折りのために折り胴９２へ搬送される。リボン１２及び第２のリボン１２′の両方は、セクション化された被印刷製品１１４を形成するために第２のリボン１４′の上側において折り畳まれる。被印刷製品１１４は図１０により詳細に示されている。
【００１５】
図１に示されているように、余分な逸らせ装置８４，８６は、被印刷製品１１０，１１２をコンベヤ９０上に載置するために使用されてよく、この場合、逸らせ装置８０，８２は、４つに１つの折丁を載置することだけが必要である。余分な逸らせ装置は、折り機９２がより低速で、例えば半分の速度で作動させられるので、望ましい。
【００１６】
図１及び図９に示されているように、折丁１０２Ａから形成された被印刷製品１１０は、縦に折り畳まれていないリボン束１２B上に載置された長手方向で折り畳まれたリボン束１６Bの上側に配置された長手方向で折り畳まれたリボン束１４Bを有する配列を有する。
【００１７】
図１及び図１０に示されているように、折丁１０２Ａ及び１０２Ｂから形成された被印刷製品１１２は、被印刷製品１１０と同じ配列と、長手方向で折り畳まれていない第２のリボン１２B′の上側に載置された長手方向で折り畳まれた第２のリボン１６B′の上側に載置された長手方向で折り畳まれた第２のリボン束１４B′とを有している。区分けされた被印刷製品１１４は、図１及び図８に示されているように、折り胴９２がリボン束１２B，１２B′を折り畳む場合に形成される。
【００１８】
図２Ａは、印像Ａを備えた１つの刷版３３を支持した版胴３２の好適な実施形態を示しており、この場合、例えば軸方向で４又は５つの折り畳まれていない頁の印像を備えている。この印像Ａが印刷されるウェブは、例えば、４つ又は５つのリボンに裁断されることができ、折畳みの後、１６頁又は２０頁のタブロイド判新聞セクションを形成する。図２Ｂは、図２Ａの実施形態に従って版胴３２の１回転を示している。図３Ａは、図１にも示された、２つの刷版３３，３５を支持した版胴３２の別の好適な実施形態を示している。図３Ｂは、図３Ａの実施形態に従ってウェブに印像Ａ及び印像Ｂを印刷する版胴３２の１回転を示している。印像Ａ及びＢが印刷されたウェブは例えば、図１に示されたタブロイド判セクションを形成するために複数のリボンに裁断されることもできる。図４Ａは、４つの刷版３３，３５，３７，３９を支持した版胴３２を示している。図４Ｂは、図４Ａの実施形態に従って刷版３２の１回転を示している。印像Ａ，Ｂ，Ｃ及びＤが印刷されたウェブも、タブロイド判セクションを形成するために複数のリボンに裁断されてよい。
【００１９】
リボン束１２B，１４B，１６Bの幅を変化させることによって、最終的な被印刷製品は、好適には、図５及び図６に示されているようにタブ又はインデックスが形成されてよい。リボン束１２Bは幅ｗ1を有していてよい。リボン束１４Bは、ｗ1よりも大きな幅ｗ2を有していてよく、これにより、リボン束１４Bは、両製品が長手方向で半分に折り畳まれた場合にリボン束１２Bよりも突出する。ｗ1とｗ2との差は第１のタブＴ1を形成する。第１のタブＴ1は、例えば、読者が新聞のセクションの間を区別するために及び／又は広告のために使用されることができる。同様に、リボン束１６Bは、リボン束１４Bの幅ｗ2よりも大きな幅ｗ3を有しており、これにより、第２のタブＴ2を形成している。しかしながら、幅ｗ1，ｗ2，ｗ3は、択一的な好適な実施形態においては、同じであってもよい。
【００２０】
図７は、本発明による印刷機２００の別の好適な実施形態を示している。印刷機２００は印刷セクション２２０，２２０′を有しており、各印刷セクションは４つの印刷ユニット２２２，２２４，２２６，２２８を有している。各印刷ユニットは２つの印刷対２３０を有している。各印刷対２３０は、版胴２３２と、ブランケット胴２３４とを有している。版胴２３２は、例えば、図４Ａ及び図４Ｂに示されているように、４つの刷版を支持しているか又は周囲を４つの印像で画像化されていてよい。ウェブ２１０は、印刷セクション２２０によって印刷され、案内ローラ２５０上を通って、下流のカッタ２７１へ案内される。カッタ２７１はウェブ２１２を折丁３１２に裁断する。次いで、折丁は、コンベヤを介して逸らせ装置２８１，２８３，２８５，２８７へ搬送される。逸らせ装置２８１，２８３，２８５，２８７は折丁をコンベヤ２９０上に載置する。逸らせ装置によって載置された各折丁３１２は、図４Ａ及び図４Ｂに示されたような刷版に対応する。すなわち、印像Ａが印刷された折丁３１２は、逸らせ装置２８１によってコンベヤ２９０上に載置されるのに対し、印像Ｂが印刷された折丁３１２′は、逸らせ装置２８３によって折丁３１２の上側に載置される。印像Ｃが印刷された折丁３１２′′は逸らせ装置２８５によって折丁３１２′の上側に載置されるのに対し、印像Ｄが印刷された折丁３１２′′′は逸らせ装置２８７によって折丁３１２′′の上側に載置される。
【００２１】
印刷機２００における第２の印刷セクション２２０′は、前述のような印刷セクション２２０と同様のものであってよい。印刷セクション２２０′はウェブ２１２に印刷する。折り畳まれたウェブ２１０は、裁断胴２７０によって、折り畳まれた折丁３１４に裁断され、折丁３１２′′′がコンベヤ２９０を下流へ移動しながら、逸らせ装置２８０，２８２，２８４，２８６によって折丁３１２′′′の上側に載置される。折り胴２９２は、インライン折りを行い、折丁３１４の上側における折丁３１２，３１２′，３１２′′，３１２′′′を折り畳む。
【００２２】
図８は、１２０頁の被印刷製品１１４を示している。被印刷製品１１４は５つのセクションを有する。セクション４０２及び４０４はそれぞれ、２０頁を有している。セクション４０６及び４０８はそれぞれ、１６頁を有している。セクション４１０は４８頁を有している。被印刷製品４００において、セクション４０２及び４０８が、セクション４１０よりも突出したタブを有し、セクション４０４及び４０６が、それぞれセクション４０２及び４０８よりも突出したタブを有すると有利である。
【００２３】
フォーマ、逸らせ装置、リボン又はウェブの数を変更することによって、多くのセクションが製造されてよく、頁数及びセクションの数は、望み通りに変更されてよい。リボンの幅を変更することによって、タブロイド判セクションには、図５及び図６に示されているように、タブ又はインデックスが形成されてよい。
【００２４】
印刷機が十分に幅広であるならば、印刷されるウェブは、セクションが形成される前に２つのウェブに裁断されることができる。
【００２５】
択一的な実施形態において、それぞれが異なる幅を有する多数のウェブが組み合わされるか、ウェブをリボンに裁断することと多数のウェブを使用することとのあらゆる組合せが用いられてよい。
【００２６】
以上の説明において、発明は特定の典型的な実施形態及び実施例に関して説明された。しかしながら、請求の範囲に示されているような発明のより広い精神及び範囲から逸脱することなく、前記実施形態又は実施例に対して様々な変更及び修正がなされてよいことは明らかになるであろう。したがって、明細書及び図面は、限定的な意味ではなく、例示形式でみなされるべきである。
【符号の説明】
【００２７】
１００  印刷機、  １２R1，１２R2，１２R3，１２R4，１２R5  リボン、  １２B，１４B，１６B  リボン束、  １２，１４，１６  ウェブ、  ２０，２２，２４  印刷セクション、  ２６，２７，２８，２９  印刷ユニット、  ３０  印刷対、  ３２  版胴、  ３３，３５，３７，３９  刷版、  ４０，４２，４４  スリッタ、  ５０  バイパス案内ローラ、  ６０，６２  折りフォーマ、  ７０  カッタ、  ８０，８２，８４，８６  逸らせ装置、  ９０  コンベヤ、  １０２Ａ，１０２Ｂ  折丁、  １１０，１１２，１１４  被印刷製品、  ２００  印刷機、  ２１０，２１２  ウェブ、  ２２０，２２０′  印刷セクション、  ２２２，２２４，２２６，２２８  印刷ユニット、  ２３０  印刷対、  ２３２  版胴、  ２５０  案内ローラ、  ２７０  裁断胴、  ２７１  カッタ、  ２８１，２８３，２８５，２８７  逸らせ装置、  ２９０  コンベヤ、  ３１２，３１２′，３１２′′，３１２′′′  折丁、  ３１４  折り畳まれた折丁、  ４００  被印刷製品、  ４０２，４０４，４０６，４０８，４１０  セクション
【図１】
2011501724.tif 000003
【図２Ａ】
2011501724.tif 000004
【図２Ｂ】
2011501724.tif 000005
【図３Ａ】
2011501724.tif 000006
【図３Ｂ】
2011501724.tif 000007
【図４Ａ】
2011501724.tif 000008
【図４Ｂ】
2011501724.tif 000009
【図５】
2011501724.tif 000010
【図６】
2011501724.tif 000011
【図７】
2011501724.tif 000012
【図８】
2011501724.tif 000013
【図９】
2011501724.tif 000014
【図１０】
2011501724.tif 000015
【手続補正書】
【提出日】平成22年6月24日(2010.6.24)
【手続補正１】
【補正対象書類名】図面
【補正対象項目名】全図
【補正方法】変更
【補正の内容】
【図１】
2011501724.tif 000016
【図２】
2011501724.tif 000017
【図３】
2011501724.tif 000018
【図４】
2011501724.tif 000019
【図５】
2011501724.tif 000020
【図６】
2011501724.tif 000021
【図７】
2011501724.tif 000022
【図８】
2011501724.tif 000023
【図９】
2011501724.tif 000024
【図１０】
2011501724.tif 000025
【国際調査報告】
2011501724.tif 000026